(57)【要約】 【課題】放送記録内容を再生する場合に、例えば、スキップ再生が予想されるＣＭ部分などが含まれていても実際の再生時間を確認できるようにする。 【解決手段】中央制御部１は、テレビ放送受信部１１で受信したテレビ放送を録画して録画ファイルとして記録保存している状態において、この録画ファイルの中から所定記録部分（ＣＭ部分）を特定したのち、この録画ファイルの再生位置以降の内容から当該ＣＭ部分の合計時間を除いた再生時間を再生位置以降の残りの再生時間（ＣＭ抜き残り合計時間）として取得し、このＣＭ抜き残り合計時間に応じた情報を表示する。 【選択図】  図１
2008252160.tif 000002
【特許請求の範囲】
【請求項１】
受信した放送を記録する放送記録機能を備えた放送受信装置であって、
前記放送記録機能によって記録された放送記録内容の中から所定記録部分を特定する特定手段と、
この特定手段によって所定記録部分が特定された場合に、再生位置以降における前記放送記録内容の中から当該所定記録部分の時間を除いた再生時間を前記再生位置以降の残りの再生時間として取得する取得手段と、
この取得手段によって得られた残りの再生時間に応じた情報を出力する情報出力手段と、
を具備したことを特徴とする放送受信装置。
【請求項２】
前記特定手段は、コマーシャル放送を記録したコマーシャル記録部分、本編以外の記録部分のうち、少なくともそのいずれかを前記所定記録部分として特定する、
ようにしたことを特徴とする請求項１記載の放送受信装置。
【請求項３】
前記特定手段は、放送の記録時、記録後のいずれかにおいて所定記録部分を特定し、
この特定手段によって所定記録部分が特定される毎に、この所定記録部分の範囲を示す情報を前記放送記録内容に対応付けて記憶する、
ようにしたことを特徴とする請求項１記載の放送受信装置。
【請求項４】
前記取得手段は、再生位置以降における前記放送記録内容の再生時間を算出すると共に、再生位置以降に存在する前記所定記録部分の時間を算出したのち、前記放送記録内容の再生時間から前記所定記録部分の時間を差し引くことで前記残りの再生時間を算出取得する、
ようにしたことを特徴とする請求項１記載の放送受信装置。
【請求項５】
前記取得手段は、スピード再生が指示された際に、再生位置以降における前記放送記録内容をスピード再生した場合の再生時間を算出すると共に、再生位置以降に存在する前記所定記録部分をスピード再生した場合の再生時間を算出したのち、前記放送記録内容の再生時間から前記所定記録部分の時間を差し引くことで前記残りの再生時間を算出取得する、
ようにしたことを特徴とする請求項４記載の放送受信装置。
【請求項６】
前記情報出力手段は、残りの再生時間の数値情報、現在時刻に残りの再生時間を加算した再生終了時刻の数値情報、残りの再生時間を識別するマーク情報のうち、少なくともそのいずれかの情報を出力する、
ようにしたことを特徴とする請求項１記載の放送受信装置。
【請求項７】
スキップ再生が指示された際に、前記放送記録内容の中から前記特定された所定記録部分をスキップして再生する再生手段を設けた、
ことを特徴とする請求項１記載の放送受信装置。
【請求項８】
前記放送記録内容の中から前記特定された所定記録部分をスキップして再生する再生手段を設け、
この再生手段による再生開始時に、前記取得手段は、再生位置以降の残りの再生時間を取得する動作を開始したのち、その再生の進行に応じた残りの再生時間を逐次取得し、
前記情報出力手段は、前記残りの再生時間が逐次取得される毎に、その残りの再生時間に応じた情報を順次出力する、
ようにしたことを特徴とする請求項１記載の放送受信装置。
【請求項９】
前記放送記録内容をファイル化して記憶保存している状態において、前記残りの再生時間を明示する記録ファイルを一覧表示する一覧表示手段を更に設ける
ことを特徴とする請求項１記載の放送受信装置。
【請求項１０】
コンピュータに対して、
受信した放送を記録した放送記録内容の中から所定記録部分を特定する機能と、
前記所定記録部分が特定された場合に、再生位置以降における前記放送記録内容の中から当該所定記録部分の時間を除いた再生時間を前記再生位置以降の残りの再生時間として取得する機能と、
前記取得の残りの再生時間に応じた情報を出力する機能と、
を実現させるためのプログラム。
【発明の詳細な説明】
【技術分野】
【０００１】
この発明は、受信した放送を記録する放送記録機能を備えた放送受信装置及びプログラムに関する。
【背景技術】
【０００２】
近年、携帯電話装置はその多機能化に伴って通話機能、インターネット接続機能のほかに、ラジオ放送を受信するラジオ受信機能、テレビ放送を受信するテレビ放送受信機能、受信した放送を記録（録画、録音）する放送記録機能を備えたものが普及してきている。ここで、放送記録機能を備えた携帯電話装置にあっては、ラジオ放送あるいはテレビ放送を記録した放送記録内容の再生中に、残りの再生時間がどの位であるか、希望時刻に全てを再生し終わるかを知ることができず、心配になることがある。
このような場合、従来では、例えば、ＡＶ（視聴覚）コンテンツの再生途中において、残りの再生時間を求めて表示するようにした技術が知られている（特許文献１参照）。
【特許文献１】特開２００２−１５０６９１号公報
【発明の開示】
【発明が解決しようとする課題】
【０００３】
ところで、一般に、テレビ放送を録画した録画ファイルを再生する場合に、ユーザはＣＭ（コマーシャル）部分を早送りして再生することが多い。このため、上述した先行技術のように残りの再生時間を知り得たとしても、この残りの再生時間は、ユーザがそのまま通常再生し続けた場合での残り時間であるため、この技術をテレビ録画内容の再生に適用した場合、ＣＭ部分の早送り再生によって実際の再生時間とは大きく異なってしまう。つまり、ＣＭ部分を含めた残り時間では、ユーザ操作による早送り再生あるいはＣＭ部分のスキップ再生によって実際の再生時間とは大きく異なってしまう。
【０００４】
この発明の課題は、放送記録内容を再生する場合に、例えば、スキップ再生が予想されるＣＭ部分などが含まれていても実際の再生時間を確認できるようにすることである。
【課題を解決するための手段】
【０００５】
請求項１記載の発明は、受信した放送を記録する放送記録機能を備えた放送受信装置であって、前記放送記録機能によって記録された放送記録内容の中から所定記録部分を特定する特定手段と、この特定手段によって所定記録部分が特定された場合に、再生位置以降における前記放送記録内容の中から当該所定記録部分の時間を除いた再生時間を前記再生位置以降の残りの再生時間として取得する取得手段と、この取得手段によって得られた残りの再生時間に応じた情報を出力する情報出力手段とを具備したことを特徴とする。
更に、コンピュータに対して、上述した請求項１記載の発明に示した主要機能を実現させるためのプログラムを提供する（請求項１０記載の発明）。
【０００６】
なお、上述した請求項１記載の発明は次のようなものであってもよい。
前記特定手段は、コマーシャル放送を記録したコマーシャル記録部分、本編以外の記録部分のうち、少なくともそのいずれかを前記所定記録部分として特定する（請求項２記載の発明）。
【０００７】
前記特定手段は、放送の記録時、記録後のいずれかにおいて所定記録部分を特定し、
この特定手段によって特定された所定記録部分の範囲を示す情報を前記放送記録内容に対応付けて記憶する（請求項３記載の発明）。
【０００８】
前記取得手段は、再生位置以降における前記放送記録内容の再生時間を算出すると共に、再生位置以降に存在する前記所定記録部分の時間を算出したのち、前記放送記録内容の再生時間から前記所定記録部分の時間を差し引くことで前記残りの再生時間を算出取得する（請求項４記載の発明）。
【０００９】
請求項４記載の発明は、前記取得手段は、スピード再生が指示された際に、再生位置以降における前記放送記録内容をスピード再生した場合の再生時間を算出すると共に、再生位置以降に存在する前記所定記録部分をスピード再生した場合の再生時間を算出したのち、前記放送記録内容の再生時間から前記所定記録部分の時間を差し引くことで前記残りの再生時間を算出取得するようにしてもよい（請求項５記載の発明）。
【００１０】
前記情報出力手段は、残りの再生時間の数値情報、現在時刻に残りの再生時間を加算した再生終了時刻の数値情報、残りの再生時間を識別するマーク情報のうち、少なくともそのいずれかの情報を出力する（請求項６記載の発明）。
【００１１】
スキップ再生が指示された際に、前記放送記録内容の中から前記特定された所定記録部分をスキップして再生する再生手段を設けてもよい（請求項７記載の発明）。
【００１２】
前記放送記録内容の中から前記特定された所定記録部分をスキップして再生する再生手段を設け、この再生手段による再生開始時に、前記取得手段は、再生位置以降の残りの再生時間を取得する動作を開始したのち、その再生の進行に応じた残りの再生時間を逐次取得し、前記情報出力手段は、前記残りの再生時間が逐次取得される毎に、その残りの再生時間に応じた情報を順次出力する（請求項８記載の発明）。
【００１３】
前記放送記録内容をファイル化して記憶保存している状態において、前記残りの再生時間を明示する記録ファイルを一覧表示する一覧表示手段を更に設ける（請求項９記載の発明）。
【発明の効果】
【００１４】
この発明は、放送記録内容を再生する場合に、所定記録部分の再生時間を除いた実際の再生時間を確認することができる。
【発明を実施するための最良の形態】
【００１５】
以下、図１〜図１３を参照して本発明の実施例を説明する。
この実施例は、放送受信装置として放送受信機能を備えた携帯電話装置に適用した場合を例示したもので、図１は、この携帯電話装置の基本的な構成を示したブロック図である。
この携帯電話装置は、例えば、２つの筐体（操作部筐体、表示部筐体）が開閉可能に取り付けられた折り畳み自在なもので、通話機能、電子メール機能、インターネット接続機能（Ｗｅｂアクセス機能）などのほか、地上波デジタルテレビ放送などを受信するテレビ放送受信機能、テレ放送などを録画（録音を含む、以下、同様）して、再生する録画／再生機能を備えている。
【００１６】
中央制御部１は、二次電池を備えた電源部２からの電力供給によって動作し、記憶部３内の各種のプログラムに応じてこの携帯電話装置の全体動作を制御する。この記憶部３は、ＲＯＭ、ＲＡＭを有する構成で、そのプログラム領域には、後述する図２〜図６に示す動作手順に応じて本実施例を実現するためのプログラムが格納され、また、そのデータ領域には、後述するアイコンテーブルＩＮＴ、カラーテーブルＣＲＴ、録画ファイル格納部ＲＦＭなどが設けられている。無線通信部４は、アンテナに接続された送受信部（ベースバンド部）の受信側から信号を取り込んで受信ベースバンド信号に復調したのちに、音響制御部５を介して受話スピーカ６から音声出力させる。そして、無線通信部４は、送話マイク７から入力された音声データを音響制御部５から取り込み、送信ベースバンド信号に符号化したのちに送受信部の送信側に与えられてアンテナから送信出力させる。
【００１７】
音響制御部５は、受話スピーカ６、送話マイク７を制御するほか、サウンドピーカ８を制御する。一方、電子メール機能あるいはインターネット接続機能によって無線通信部４を介して受信取得した表示データは、高品位表示が可能なＬＣＤ（液晶表示装置）などの表示部９に与えられて表示出力される。操作部１０は、各種の操作キー、ポインティングデバイスなどを有し、ダイヤル入力、文字入力、コマンド入力などを行うもので、例えば、テレビオン／オフキー、録画／再生キーなどが設けられており、中央制御部１は、操作部１０からの操作入力信号に応じた処理を実行する。
【００１８】
テレビ放送受信部１１は、携帯電話などの携帯受信機向けの地上波デジタルテレビ放送を受信するもので、テレビ映像及び音声情報以外にも電子番組表(ＥＰＧ)なども含めて受信可能である。テレビ放送受信部１１は、ＴＶアンテナに接続されていて放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。テレビ映像データ及び文字データは、表示部９から表示出力され、また、テレビ音声データは、サウンドピーカ８から出力される。ＲＴＣ（リアルタイムクロックモジュール）１２は、時計部を構成するもので、中央制御部１は、ＲＴＣ１２から現在日時を取得する。
【００１９】
テレビ放送の録画開始が指示されると、中央制御部１は、テレビ放送受信部１１で受信したテレビ放送を逐次取り込んで録画する録画動作を開始するほか、その録画時間を計測する計測動作を開始し、また、録画終了が指示されると、録画ファイルを作成して録画ファイル格納部ＲＦＭに記録保存するが、その際、録画ファイルの中から所定記録部分（ＣＭ部分）を特定する毎に、その所定記録部分の範囲を示す位置情報（タイム情報）を当該録画ファイルに対応付けて記録するようにしている。また、中央制御部１は、この録画ファイルの合計録画時間からＣＭ部分の合計時間を除いた再生時間を残りの再生時間として算出して記録するようにしている。
【００２０】
次に、この実施例における携帯電話装置の動作概念を図２〜図６に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、伝送媒体を介して外部供給されたプログラム／データを利用してこの実施例特有の動作を実行することもできる。
なお、図２〜図６は、携帯電話装置の全体動作のうち、本実施例の特徴部分の動作概要を示したフローチャートであり、この図２、図３〜図６のフローから抜けた際には、全体動作のフロー（図示省略）に戻る。
【００２１】
図２は、テレビ放送の録画指示に応じて実行開始されるテレビ放送の録画処理を示したフローチャートである。
先ず、中央制御部１は、テレビ放送の録画開始がユーザ操作あるいは録画予約によって指示されると、テレビ放送受信部１１で受信したテレビ放送を逐次取り込んで、記憶部３に逐次録画する録画動作を開始実行するほか、その録画時間を計測するタイマ計測動作を開始する（ステップＡ１）。そして、ユーザ操作あるいは予約情報によって録画終了が指示されたかを調べ（ステップＡ２）、録画終了が指示されるまでステップＡ１に戻り、録画動作が行われる。ここで、録画終了が指示されると（ステップＡ２でＹＥＳ）、録画ファイルを作成して録画ファイル格納部ＲＦＭに記録保存するが、その際、当該録画ファイルに対応付けてその全体の録画時間を「ファイル録画時間」として記録する（ステップＡ３）。
【００２２】
このような録画が終了すると、中央制御部１は、今回作成した録画ファイルに含まれているＣＭ部分を順次特定しながらＣＭ部分毎にその範囲を示す情報（開始位置及び終了位置）を記録する動作を行う。先ず、録画ファイルの内容を読み出し（ステップＡ４）、その先頭位置から順次位置更新を行いながらその音声信号をチェックして（ステップＡ５）、ＣＭ部分の終了時かを調べる（ステップＡ６）。すなわち、例えば、音声信号がステレオからモノラルに切り替わった場合あるいは２ヶ国語放送から音声多重に切り替わった場合にはＣＭ放送が終了したと認識する（以下、同様）。いま、ＣＭ部分の終了でなければ（ステップＡ６でＮＯ）、その音声信号に基づいてＣＭ放送の開始時かを調べる（ステップＡ７）。この場合、ＣＭ部分の終了時とは逆に、音声信号がモノラルからステレオに切り替わった場合などによってＣＭ放送が開始したと認識する（以下、同様）。ここで、ＣＭ部分の開始時でもなければ（ステップＡ７でＮＯ）、上述のステップＡ６に戻る。
【００２３】
ＣＭ部分の終了時を検出すると（ステップＡ６でＹＥＳ）、ＣＭ部分の開始位置を示す情報（開始タイム）として“０”をセットし、録画ファイルの先頭位置から現在位置までの隔たりをＣＭ部分の終了位置を示す情報（終了タイム）として記録する（ステップＡ１１）。また、ＣＭ部分の開始時を検出すると（ステップＡ７でＹＥＳ）、録画ファイルの先頭位置から現在位置までの隔たりを開始タイムとして記録したのち（ステップＡ８）、そのＣＭ部分が終了するまで待機する（ステップＡ９）。その後、ＣＭ部分の終了時を検出すると（ステップＡ９でＹＥＳ）、録画ファイルの先頭位置から現在位置までの隔たりを終了タイムとして記録する（ステップＡ１０）。
【００２４】
以下、同様に、録画ファイルに含まれているＣＭ部分を順次特定するために、録画ファイルの内容を順次更新を行いながらＣＭ部分の開始時を検出したか（ステップＡ１２）、録画ファイルの最終位置を検出したかをチェックする（ステップＡ１６）。ここで、次のＣＭ放送の開始時を検出すると（ステップＡ１２でＹＥＳ）、録画ファイルの先頭位置から現在位置までの隔たりを開始タイムとして記録する（ステップＡ１３）。そして、ＣＭ部分の終了時を検出したか（ステップＡ１４）、録画ファイルの最終位置を検出したかをチェックする（ステップＡ１７）。ここで、ＣＭ部分の終了時を検出すると（ステップＡ１４でＹＥＳ）、録画ファイルの先頭位置から現在位置までの隔たりを終了タイムとして記録したのち（ステップＡ１５）、上述のステップＡ１２に戻る。
【００２５】
ここで、録画ファイルの最終位置を検出すると（ステップＡ１６でＹＥＳあるいはステップＡ１７でＹＥＳ）、録画ファイルの先頭位置から現在位置までの隔たりを終了タイムとして記録する（ステップＡ１８）。この結果、録画ファイルに含まれているＣＭ部分毎に、その開始位置を示す開始タイム及び終了位置を示す終了タイムが録画ファイル格納部ＲＦＭに順次記録されることになる。そして、ＣＭ部分毎にその開始タイムから終了タイムまでの隔たりを合計することによって全ＣＭ部分の合計時間を算出すると共に（ステップＡ１９）、当該録画ファイルに対応付けられている「ファイル録画時間」を読み出し、この「ファイル録画時間」から当該「ＣＭ合計時間」を減算し、その算出結果を「ＣＭ抜き残り合計時間」としたのち（ステップＡ２０）、当該録画ファイルに対応付けて「ＣＭ抜き残り合計時間」を記録する（ステップＡ２１）。
【００２６】
図７は、録画ファイルのヘッダ情報を説明するための図である。
録画ファイルのヘッダ情報には、「タイトル」、「ファイル録画時間」、「ＣＭ抜き残り合計時間」のほか、「再生有無フラグ」、「再生位置」、「ＣＭ管理データ」が記録されている。「再生有無フラグ」は、録画ファイルを再生したか否かを示し、「再生位置」は、図８に示すように前回再生時の最終再生位置を示している。「ＣＭ管理データ」は、ＣＭ部分毎の開始タイムと終了タイムである。
【００２７】
図８は、録画ファイルの内容を時系列的にイメージした図である。
ここで、図中、“０”は、録画ファイルの先頭位置を示し、“Ｅ”は、録画ファイルの最終位置を示し、“Ｒ”は、前回再生時の最終再生位置を示している。この場合、録画ファイルの先頭位置“０”から最終位置“Ｅ”までの隔たりは、時間（タイム）によって表すようにしている。
【００２８】
図３は、ユーザ操作によって録画一覧の表示が指示された際に実行開始されるフローチャートである。
先ず、中央制御部１は、録画一覧の表示が指示されると、録画ファイル格納部ＲＦＭ内に保管されている各録画ファイルの中からそのいずれかの録画ファイルを指定して（ステップＢ１）、それに対応付けられている「ファイル録画時間」を読み出したのち（ステップＢ２）、この「ファイル録画時間」に基づいてアイコンテーブルＩＮＴをアクセスして対応するアイコンを読み出す（ステップＢ３）。
【００２９】
図９は、アイコンテーブルＩＮＴを説明するための図である。
このアイコンテーブルＩＮＴには、「０〜１０分」、「１０〜３０分」、「３０〜６０分」、「６０〜９０分」、「９０分以上」に対応して、その時間を感覚的に把握することが可能な円グラフ状のアイコンを割り当てた構成となっており、中央制御部１は、アイコンテーブルＩＮＴをアクセスして「ファイル録画時間」対応のアイコンを読み出す。
【００３０】
そして、中央制御部１は、未指定の録画ファイルの有無を調べ（ステップＢ４）、未指定ファイルが有れば、上述のステップＢ１に戻り、当該指定ファイルに対応付けられている「ファイル録画時間」を読み出し、この「ファイル録画時間」に対応するアイコンを読み出す（ステップＢ２、Ｂ３）。以下、全ての録画ファイルを指定し終わるまで上述の動作を繰り返す。これによって全ての録画ファイルを指定し終わった場合には（ステップＢ４でＹＥＳ）、このアイコンを含めた録画一覧画面を生成表示させる（ステップＢ５）。なお、この一覧画面内には録画ファイル毎にその「ファイル録画時間」をイメージするアイコンのほか、「タイトル」、「ファイル録画時間」が一覧表示される。
【００３１】
このような録画一覧画面（ファイル録画時間の一覧画面）が表示されている状態において、何らかの操作が行われると（ステップＢ６でＹＥＳ）、「ＣＭ抜き残り合計時間」の一覧表示を指示する操作が行われた場合か（ステップＢ７）、録画ファイルを任意に選択する操作が行われた場合か（ステップＢ８）、録画一覧の終了を指示する操作が行われた場合かを調べる（ステップＢ９）。ここで、録画一覧の終了指示操作であれば（ステップＢ９でＹＥＳ）、図３のフロー終了となるが、「ＣＭ抜き残り合計時間」の一覧表示を指示する操作であれば（ステップＢ７でＹＥＳ）、その一覧表示処理に移る。先ず、いずれかの録画ファイルを指定して（ステップＢ１０）、それに対応付けられている「ＣＭ抜き残り合計時間」を読み出したのち（ステップＢ１１）、この「ＣＭ抜き残り合計時間」に基づいてアイコンテーブルＩＮＴをアクセスして「ＣＭ抜き残り合計時間」に対応するアイコンを読み出す（ステップＢ１２）。
【００３２】
そして、未指定の録画ファイルの有無を調べ（ステップＢ１３）、未指定ファイルが有れば、上述のステップＢ１０に戻り、当該指定ファイルに対応付けられている「ＣＭ抜き残り合計時間」を読み出し（ステップＢ１１）、この「ＣＭ抜き残り合計時間」に対応するアイコンを読み出す（ステップＢ１２）。以下、全ての録画ファイルを指定し終わるまで上述の動作を繰り返す。これによって全ての録画ファイルを指定し終わった場合には（ステップＢ１３でＹＥＳ）、このアイコンを含めた録画一覧画面を生成表示させる（ステップＢ１４）。図１０は、録画ファイル一覧画面を示した図で、この一覧画面内には、録画ファイル毎にその「ＣＭ抜き残り合計時間」をイメージするアイコンのほか、「タイトル」、「ＣＭ抜き残り合計時間」が一覧表示される。
【００３３】
このような録画一覧画面（ＣＭ抜き残り合計時間の一覧画面）が表示されている状態において、何らかの操作が行われた場合には（ステップＢ１５でＹＥＳ）、元の一覧表示に戻す指示操作であるか（ステップＢ１６）、録画ファイルの選択操作であるか（ステップＢ１７）、録画一覧の終了を指示する操作であるかを調べる（ステップＢ１８）。ここで、録画一覧の終了指示操作であれば（ステップＢ１８でＹＥＳ）、図３のフロー終了となるが、元の一覧表示を指示する操作であれば（ステップＢ１６でＹＥＳ）、上述のステップＢ１に戻り、ファイル録画時間の一覧画面を生成表示させる。
【００３４】
他方、録画一覧画面（ファイル録画時間の一覧画面）が表示されている状態において、その画面内から任意のファイル（アイコン）を選択する選択操作が行われた場合には（ステップＢ８でＹＥＳ）、図４のフローに移り、当該録画ファイルを通常再生する処理を開始する。先ず、中央制御部１は、当該録画ファイル対応の「再生有無フラグ」を参照し（ステップＢ１９）、過去に再生が行われていれば（ステップＢ１９でＹＥＳ）、前回から引き続く再生を行うために「再生位置」を読み出すが（ステップＢ２０）、再生が行われていなければ（ステップＢ１９でＮＯ）、「再生位置」をその初期値“０”に戻す（ステップＢ２１）。そして、この「再生位置」から１倍速の再生動作を開始する（ステップＢ２２）。
【００３５】
このような再生動作に応じて中央制御部１は、録画ファイルの「再生位置」を順次更新しながら読み出した映像データを表示部９から出力させ、その音声データをサウンドピーカ８から出力させる。そして、録画ファイルの「最終位置」に達したか（ステップＢ２３）、何らかの操作が行われたかを調べる（ステップＢ２５）。ここで、何の操作も行われなければ、ステップＢ２３に戻るが、「再生位置」が「最終位置」に達した場合には（ステップＢ２３でＹＥＳ）、この「再生位置」をその初期値“０”に戻したのち（ステップＢ２４）、図５のフローに移り、録画一覧表示・再生処理の終了となる。
【００３６】
また、「最終位置」に達する前に何らかの操作が行われると（ステップＢ２５でＹＥＳ）、スピード再生（１.３倍の早送り再生）を指示する操作であるか（ステップＢ２６）、再生終了を指示する操作かを調べ（ステップＢ２７）、それ例外の操作が行われた場合には（ステップＢ２７でＮＯ）、その操作に対応する処理として、例えば、再生一時停止などの処理を実行する（ステップＢ２８）。また、再生終了が指示された場合には（ステップＢ２７でＹＥＳ）、終了指示時点での録画ファイルの位置を「再生位置」として記録したのち（ステップＢ２９）、図５のフローに移り、録画一覧表示・再生処理の終了となる。
【００３７】
また、通常再生中にスピード再生が指示されたときには（ステップＢ２６でＹＥＳ）、図５のフローに移り、録画ファイルの「再生位置」を１.３倍速で順次更新する早送り再生を開始する（ステップＢ３０）。そして、この再生動作中において「再生位置」以降から「最終位置」までに要する再生時間を残り合計時間として取得する（ステップＢ３１）。この場合、例えば、再生の進行に応じて「再生位置」が順次更新される毎に、「ファイル録画時間」を順次減算することによってその値は、「再生位置」以降から「最終位置」までの残り合計時間とする。そして、この残り合計時間（１倍速時の再生時間）を早送り時に相当する残り合計時間（１.３倍速時の再生時間）に変更する（ステップＢ３２）。
【００３８】
また、中央制御部１は、「ＣＭ管理データ」を参照し、録画ファイルの「再生位置」以降から「最終位置」までの間に存在するＣＭ部分の開始タイム及び終了タイムに基づいて「再生位置」以降のＣＭ合計時間を算出する（ステップＢ３３）。そして、この１倍速時のＣＭ合計時間を早送り時に相当する１.３倍速時のＣＭ合計時間に変更したのち、上述のステップＢ３２で求めた残り合計時間（１.３倍速時の再生時間）から当該１.３倍速時のＣＭ合計時間を減算することによってＣＭ抜き残り合計時間（１.３倍速時の合計時間）を算出する（ステップＢ３４）。
【００３９】
そして、中央制御部１は、このようにして求めた１.３倍速時の残り合計時間とＣＭ抜き残り合計時間を再生画面内に案内表示させる（ステップＢ３５）。図１１は、早送り時の残り合計時間とＣＭ抜き残り合計時間が表示された再生画面を例示したもので、早送り時の残り合計時間として“２３分１８秒”、早送り時のＣＭ抜き残り合計時間として“１８分４０秒”が案内表示された場合である。なお、残り合計時間、ＣＭ抜き残り合計時間は早送り再生の進行に応じて更新される。その後、現在の「再生位置」が録画ファイルの「最終位置」に達したか（ステップＢ３６）、何らかの操作が行われたか（ステップＢ３８）、現在の「再生位置」がＣＭ開始位置に達したかを調べる（ステップＢ３９）。
【００４０】
いま、「再生位置」が「最終位置」に達した場合、つまり、録画ファイルの内容をその最後まで再生し終わった場合には（ステップＢ３６でＹＥＳ）、「再生位置」をその初期値“０”に戻したのち（ステップＢ３７）、録画一覧表示・再生処理の終了となる。また、現在の「再生位置」がＣＭ部分の「開始タイム」の位置（ＣＭ開始位置）に達した場合には（ステップＢ３９でＹＥＳ）、当該ＣＭ部分の再生をスキップするために、「ＣＭ管理データ」から当該「開始タイム」対応の「終了タイム」を読み出し、この「終了タイム」を「再生位置」としてセットしたのち（ステップＢ４４）、上述のステップＢ３１に戻り、以下、ＣＭ部分の再生スキップに応じて残り合計時間及びＣＭ抜き残り合計時間を更新して再生画面内に案内表示させる（ステップＢ３１〜３３）。この場合、ＣＭ開始位置を検出する毎に、そのＣＭ部分の再生をスキップするほか、このスキップに応じて再生画面内の残り合計時間及びＣＭ抜き残り合計時間を更新する。
【００４１】
また、早送り再生中に何らかの操作が行われると（ステップＢ３８でＹＥＳ）、１倍速の通常再生への変更操作かを調べ（ステップＢ４０）、通常再生への変更が指示された場合には、図４のステップＢ２２に戻り、早送り再生から１倍速の再生動作に移る。また、再生終了を指示する操作が行われたときには（ステップＢ４１でＹＥＳ）、終了指示時点での録画ファイルの位置を「再生位置」として記録したのち（ステップＢ４３）、録画一覧表示・再生処理の終了となるが、それ例外の操作が行われた場合には（ステップＢ４１でＮＯ）、その操作に対応する処理として、例えば、再生一時停止などの処理を実行したのち（ステップＢ４２）、上述のステップＢ３６に戻る。
【００４２】
他方、録画一覧画面（ＣＭ抜き残り合計時間の一覧画面）が表示されている状態において、その画面内から任意のファイル（アイコン）を選択する選択操作が行われた場合には（ステップＢ１７でＹＥＳ）、図６のフローに移り、当該録画ファイルの内容をスキップ再生する処理を開始する。先ず、中央制御部１は、当該録画ファイル対応の「再生有無フラグ」を参照し（ステップＢ４５）、過去に再生が行われていれば（ステップＢ４５でＹＥＳ）、前回から引き続く再生を行うために「再生位置」を読み出すが（ステップＢ４６）、再生が行われていなければ（ステップＢ４５でＮＯ）、「再生位置」をその初期値“０”に戻す（ステップＢ４７）。そして、この「再生位置」から１倍速の再生動作を開始する（ステップＢ４８）。
【００４３】
このような再生動作に応じて中央制御部１は、録画ファイルの「再生位置」を順次更新しながら読み出した映像データを表示部９から出力させ、その音声データをサウンドピーカ８から出力させる。そして、この再生動作中において「再生位置」以降から「最終位置」までに要する再生時間を残り合計時間として取得する（ステップＢ４９）。この場合においても、再生の進行に応じて「再生位置」が順次更新される毎に、「ファイル録画時間」を順次減算することによってその値は、「再生位置」以降から「最終位置」までの残り合計時間とする。また、「ＣＭ管理データ」を参照し、録画ファイルの「再生位置」以降から「最終位置」までの間に存在するＣＭ部分の開始タイム及び終了タイムに基づいて「再生位置」以降のＣＭ合計時間を算出する（ステップＢ５０）。
【００４４】
そして、上述のステップＢ４９で求めた残り合計時間からＣＭ合計時間を減算することによってＣＭ抜き残り合計時間を算出するほか（ステップＢ５１）、ＲＴＣ１２から現在日時を取得し、この現在日時にＣＭ抜き残り合計時間を加算することによって再生終了時刻を算出する（ステップＢ５２）。このようにして求めたＣＭ抜き残り合計時間と再生終了時刻とを再生画面内に案内表示させる（ステップＢ５３）。この場合、ＣＭ抜き残り合計時間に基づいてカラーテーブルＣＲＴを参照し、対応するカラーバーを生成して表示させる。
【００４５】
図１２は、カラーテーブルＣＲＴを説明するための図である。このカラーテーブルＣＲＴには、「０〜１０分」、「１０〜３０分」、「３０〜６０分」、「６０〜９０分」、「９０分以上」に対応して、その時間を感覚的に把握することが可能な色を割り当てた構成となっている。中央制御部１は、「ＣＭ抜き残り合計時間」対応の色を読み出したのち、その色のカラーバーを生成し、再生終了時刻と共に再生画面内に案内表示させる。
図１３は、カラーバーと再生終了時刻とが表示された再生画面を例示したもので、カラーバーとして“０〜１０分”の「ＣＭ抜き残り合計時間」を示す黄色のバーが表示され、再生終了時刻として“１８時２８分０３秒”が案内表示された場合である。
【００４６】
そして、現在の「再生位置」が録画ファイルの「最終位置」に達したか（ステップＢ５４）、何らかの操作が行われたか（ステップＢ５５）、現在の「再生位置」がＣＭ開始位置に達したかを調べる（ステップＢ６０）。いま、「再生位置」が「最終位置」に達した場合、つまり、録画ファイルの内容をその最後まで再生し終わった場合には（ステップＢ５４でＹＥＳ）、「再生位置」をその初期値“０”に戻したのち（ステップＢ５９）、録画一覧表示・再生処理の終了となる。
【００４７】
また、現在の「再生位置」がＣＭ部分の「開始タイム」の位置（ＣＭ開始位置）に達した場合には（ステップＢ６０でＹＥＳ）、当該ＣＭ部分の再生をスキップするために、「ＣＭ管理データ」から当該「開始タイム」対応の「終了タイム」を読み出し、この「終了タイム」を「再生位置」としてセットしたのち（ステップＢ６１）、上述のステップＢ４９に戻り、以下、ＣＭ部分の再生スキップに応じてＣＭ抜き残り合計時間、再生終了時刻を更新して再生画面内に案内表示させる（ステップＢ４９〜５３）。この場合、ＣＭ開始位置を検出する毎に、そのＣＭ部分の再生をスキップするほか、このスキップに応じて再生画面内のＣＭ抜き残り合計時間、再生終了時刻を更新する。
【００４８】
なお、再生中に何らかの操作が行われた場合に（ステップＢ５５でＹＥＳ）、再生動作の終了を指示する操作であれば（ステップＢ５６でＹＥＳ）、この終了指示時点での録画ファイルの位置を「再生位置」として記録したのち（ステップＢ５８）、録画一覧表示・再生処理の終了となるが、それ例外の操作が行われた場合には（ステップＢ５６でＮＯ）、その操作に対応する処理として、例えば、再生一時停止などの処理を実行したのち（ステップＢ５７）、上述のステップＢ５４に戻る。
【００４９】
以上のように、この実施例において中央制御部１は、テレビ放送受信部１１で受信したテレビ放送を録画して録画ファイルとして記録保存している状態において、この録画ファイルの中から所定記録部分（ＣＭ部分）を特定したのち、この録画ファイルの再生位置以降の内容から当該ＣＭ部分の合計時間を除いた再生時間を再生位置以降の残りの再生時間（ＣＭ抜き残り合計時間）として取得し、このＣＭ抜き残り合計時間に応じた情報を表示するようにしたので、録画ファイルを再生する場合に、スキップ再生が予想されるＣＭ部分が含まれていても実際の再生時間を確認することができ、希望時刻に全てを再生し終わるかなども知ることができる。
【００５０】
中央制御部１は、テレビ放送の録画直後に録画ファイルの先頭位置からＣＭ部分を特定すると共に、ＣＭ部分を順次特定する毎にＣＭ部分の範囲を示すＣＭ管理データ（開始タイム及び終了タイム）を当該録画ファイルに対応付けて記録するようにしたから、録画動作とＣＭ管理データの記録動作とを別個に行うことができ、時間をかけて確実にＣＭ部分を特定することが可能となる。
【００５１】
中央制御部１は、再生位置以降の録画ファイルの内容を再生するに要する残り合計時間を算出すると共に、再生位置以降に存在するＣＭ合計時間を算出したのち、この残り合計時間からＣＭ合計時間を減算してＣＭ抜き残り合計時間を算出するようにしたから、より正確にＣＭ抜き残り合計時間を求めることができる。
【００５２】
この場合、スピード再生が指示された際には、ＣＭ抜き残り合計時間（１倍速時の再生時間）を早送り時に相当するＣＭ抜き残り合計時間（１.３倍速時の再生時間）に変更するようにしたから、通常の１倍速再生から１.３倍速再生に変更されても、正確なＣＭ抜き残り合計時間を求めることができる。
【００５３】
中央制御部１は、ＣＭ抜き残り合計時間の数値情報、現在時刻にＣＭ抜き残り合計時間を加算した再生終了時刻の数値情報、ＣＭ抜き残り合計時間を感覚的に把握することが可能なカラーバーを表示するようにしたので、確実な報知が可能となる。
【００５４】
また、中央制御部１は、スピード再生が指示された際に、録画ファイルの中からＣＭ部分をスキップして再生するようにしたので、早送り操作が不要となり、録画ファイルを効率よく再生することが可能となる。
【００５５】
録画ファイルの中からＣＭ部分をスキップして再生する際に、中央制御部１は、再生位置以降のＣＭ抜き残り合計時間を取得する動作を開始したのち、その再生の進行に応じてＣＭ抜き残り合計時間を更新して逐次表示するようにしたので、現時点の残り合計時間を確認することができる。
【００５６】
録画ファイルが記憶保存されている状態において、中央制御部１は、ＣＭ抜き残り合計時間を明示する録画ファイルの一覧を表示するようにしたので、例えば、希望時刻に視聴可能な録画ファイルを選択して視聴することも可能となる。
【００５７】
なお、上述した実施例においては、録画ファイルの中から所定記録部分（ＣＭ部分）を特定する場合に、音声信号の変化に応じてＣＭ部分を特定するようにしたが、ＣＭ放送の前後に付加されている「イベントメッセージ」を検出することによってＣＭ部分を特定するようにしてもよい。
【００５８】
上述した実施例においては、録画ファイルの中から所定記録部分（ＣＭ部分）を特定する場合に、テレビ放送の録画直後に行うようにしたが、ユーザ操作に応じてＣＭ部分を特定する動作を行うようにしてもよい。また、録画ファイルの再生に先立ってＣＭ部分を特定したり、テレビ放送の録画中にＣＭ部分を特定したりするようにしてもよい。
【００５９】
また、上述した実施例においては、所定記録部分としては本編以外の部分（例えば、オープニング部分、エンディング部分）を映像解析、音声解析、放送受信時刻などによって検出して、このオープニング部分、エンディング部分、ＣＭ部分の合計時間を除いた再生時間を再生位置以降の残りの再生時間（ＣＭ抜き残り合計時間）として算出するようにしてもよい。この場合、毎回放送される同一番組に対しては、オープニング部分、エンディング部分は同じ内容であるので、その特徴的に同一か否かを判別することによってオープニング部分、エンディング部分を特定するようにしてもよい。
【００６０】
その他、テレビ放送を受信して録画する場合に限らず、ラジオ放送を受信して録音する場合であっても同様に適用可能である。
また、放送受信機能付の携帯電話装置に限らず、据え置き型の放送受信装置であっても同様に適用可能である。
【図面の簡単な説明】
【００６１】
【図１】放送受信装置として適用した携帯電話装置の基本的な構成を示したブロック図。
【図２】テレビ放送の録画指示に応じて実行開始されるテレビ放送の録画処理を示したフローチャート。
【図３】ユーザ操作によって録画一覧の表示が指示された際に実行開始されるフローチャート。
【図４】図３に続くフローチャートであり、録画ファイルを通常再生する処理を示したフローチャート。
【図５】図４に続く、フローチャート。
【図６】図３に続くフローチャートであり、録画ファイルをスキップ再生する処理を示したフローチャート。
【図７】録画ファイルのヘッダ情報を説明するための図。
【図８】録画ファイルの内容を時系列的にイメージした図。
【図９】アイコンテーブルＩＮＴを説明するための図。
【図１０】録画ファイル一覧画面を示した図。
【図１１】早送り時の残り合計時間とＣＭ抜き残り合計時間が表示された再生画面を例示した図。
【図１２】カラーテーブルＣＲＴを説明するための図。
【図１３】カラーバーと再生終了時刻とが表示された再生画面を例示した図。
【符号の説明】
【００６２】
１  中央制御部
３  記憶部
４  無線通信部
８  サウンドピーカ
９  表示部
１０  操作部
１１  テレビ放送受信部
１２  ＲＴＣ
ＩＮＴ  アイコンテーブル
ＣＲＴ  カラーテーブル
ＲＦＭ  録画ファイル格納部
【図１】
2008252160.tif 000003
【図２】
2008252160.tif 000004
【図３】
2008252160.tif 000005
【図４】
2008252160.tif 000006
【図５】
2008252160.tif 000007
【図６】
2008252160.tif 000008
【図７】
2008252160.tif 000009
【図８】
2008252160.tif 000010
【図９】
2008252160.tif 000011
【図１０】
2008252160.tif 000012
【図１１】
2008252160.tif 000013
【図１２】
2008252160.tif 000014
【図１３】
2008252160.tif 000015